(57)【要約】【課題】本発明は、複数の電力出力系統を有する電源部の一部の電力出力系統に異常が発生した場合の電力制御を適切に行う電源制御装置及び電気機器に関する。【解決手段】複合装置１は、複数の電源モジュール１０１〜１０６を有する電源部１００の一部の制御用電源モジュール１０１〜１０４に異常が発生したことを制御用電源異常検出モジュール１０７が検出すると、該制御用電源異常検出モジュール１０７が、電源部１００から電力供給を受けて動作する複数のスキャナエンジンユニット１０、プロッタエンジンユニット３０、ＦＡＸユニット６０及びコントローラ７０のうち、該異常発生時の動作モードで使用するユニット１０、３０、６０、７０以外のユニット１０、３０、６０、７０の動作を停止させる。したがって、少なくとも実行中の動作モードで使用するユニット１０、３０、６０、７０の動作を継続させることができる。【選択図】          図３
2007336776.tif 000002
【特許請求の範囲】
【請求項１】
複数の電力出力系統を有する電源部から電力供給を受けて動作する複数の機能モジュールのうち任意の機能モジュールが動作することで各種動作モードを実行する該機能モジュールでの電力消費を制御する電源制御装置であって、前記電源部の各電力出力系統の異常発生の有無を検出する異常検出手段と、該異常検出手段が該電源部の一部の電力出力系統の異常発生を検出すると、前記複数の機能モジュールのうち、該異常発生時の動作モードで使用する前記機能モジュール以外の機能モジュールの動作を停止させる電源制御手段と、を備えていることを特徴とする電源制御装置。
【請求項２】
複数の電力出力系統を有する電源部から電力供給を受けて動作する複数の機能モジュールのうち任意の機能モジュールを使用して実行する動作モードを複数備えた電気機器において、前記電源部の各電力出力系統の異常発生の有無を検出する異常検出手段と、該異常検出手段が該電源部の一部の電力出力系統の異常発生を検出すると、前記複数の機能モジュールのうち、該異常発生時の動作モードで使用する前記機能モジュール以外の機能モジュールの動作を停止させる電源制御手段と、を備えていることを特徴とする電気機器。
【請求項３】
前記異常検出手段は、前記電源部の各電力出力系統の出力電圧に基づいて各電力出力系統の異常発生の有無を検出することを特徴とする請求項１記載の電源制御装置または請求項２記載の電気機器。
【請求項４】
前記異常検出手段は、前記電源部の各電力出力系統の温度に基づいて各電力出力系統の異常発生の有無を検出することを特徴とする請求項１記載の電源制御装置または請求項２記載の電気機器。
【請求項５】
前記電源制御手段は、前記電源部から前記機能モジュールへの電源の供給を遮断して、該機能モジュールの動作を停止させることを特徴とする請求項１から請求項４のいずれかに記載の電源制御装置または電気機器。
【請求項６】
前記機能モジュールは、制御系と駆動負荷系を有する機能モジュールが存在し、前記電源部は、該機能モジュールの制御系に電力を供給する制御系電力出力系統と該駆動負荷系に電力を供給する駆動系電力出力系統を有し、前記異常検出手段は、該電源部の該制御系電力出力系統の異常発生の有無を検出し、前記電源制御手段は、先に、該電源部の駆動系電力出力系統から該機能モジュールの駆動系負荷系への電力供給を遮断し、その後、該電源部の制御系電力出力系統から該機能モジュールの制御系への電力供給を遮断することを特徴とする請求項１から請求項４のいずれかに記載の電源制御装置または電気機器。
【請求項７】
前記電源制御手段は、前記機能モジュールの動作クロックを低下または停止させて、該機能モジュールの動作を停止させることを特徴とする請求項１から請求項４のいずれかに記載の電源制御装置または電気機器。
【請求項８】
前記電源制御手段は、前記機能モジュールをリセットさせることで、該機能モジュールの動作を停止させることを特徴とする請求項１から請求項４のいずれかに記載の電源制御装置または電気機器。
【請求項９】
前記電源制御手段は、前記複数の機能モジュールのうち他の機能モジュールの動作を制御する制御機能モジュールに組み込まれていることを特徴とする請求項１から請求項８のいずれかに記載の電源制御装置または電気機器。
【請求項１０】
前記電源制御手段は、前記複数の機能モジュールのうち他の機能モジュールの動作を指示操作する操作機能モジュールに組み込まれていることを特徴とする請求項１から請求項８のいずれかに記載の電源制御装置または電気機器。
【請求項１１】
前記電源制御手段は、前記複数の機能モジュールに組み込まれており、前記動作モードに応じて該電源制御手段の組み込まれている機能モジュールが切り換わって、該電源制御手段によって前記電源制御機能を実行することを特徴とする請求項１から請求項８のいずれかに記載の電源制御装置または電気機器。
【発明の詳細な説明】
【技術分野】
【０００１】
本発明は、電源制御装置及び電気機器に関し、詳細には、複数の電力出力系統を有する電源部の一部の電力出力系統に異常が発生した場合の電力制御を適切に行う電源制御装置及び電気機器に関する。
【背景技術】
【０００２】
複写装置、ファクシミリ装置、プリンタ装置、複合装置、スキャナ装置等の各種電気機器は、その機能が高機能化するのに伴って、電源部の出力容量及び出力系統の数が、増大化する傾向にある。特に、コピー機能、ファクシミリ機能、プリンタ機能等の複数の機能を有する複合装置においては、各種の機能を制御する必要上、１台の複合装置の中に、多数の処理装置（ＣＰＵ）を含む制御回路を搭載した複数のモジュールを有するようになり、これら複数のモジュールの回路素子に所定の電力を供給する必要性から電源部も大容量化及び多出力化し、同一レベルの電力を出力する複数の電力出力系統を備えた電源部が採用されるようになってきている。
【０００３】
一方、電気機器においては、高機能化による電源部の大容量化、多出力化とは逆に、電気機器の設置の省スペース化や電源部の共通化が求められ、１つの電気機器に複数の電源部を搭載するようになってきている。特に、核となる機能を実現する制御板に拡張ボードを追加することで、機能を追加拡張することのできる複合装置等の電気機器に対しては、電源部の複数化が顕著であり、核となる機能に対して必要十分な電源部を標準搭載するだけでなく、機能を追加拡張する場合に、電源部も追加装着が必要となるものもある（特許文献１等参照）。
【０００４】
このように複数の電源部を含めて複数の電力出力系統を有する電源部、すなわち、複数電源モジュールを搭載する電気機器においては、一部の電源モジュールに異常が発生した場合の対応策が重要な課題となる。
【０００５】
そして、従来、電源装置の出力に接続される制御回路部品等の各種負荷を保護するために、電源装置の出力異常を検知して、異常が発生した場合には、電源装置の出力を停止する技術が提案されている（特許文献２参照）。
【０００６】
ところが、この従来技術にあっては、電源部が複数の電力出力系統を備えていても、その複数の電力出力系統のうち一部の電力出力系統に異常があった場合であっても、電源部全体の出力を停止してしまうため、異常の発生していない電力出力系統を利用して所定の機能は維持できるにもかかわらず、全体の機能が使用できない状態となってしまうという問題がある。
【０００７】
そこで、従来、電源装置の一部出力に異常が発生しても、この電源装置が搭載された装置全体の機能停止を低減するために、電源装置の同レベルの出力電力を出力する複数の出力部に接続される複数の負荷に予め優先順位を定め、負荷のうち優先順位のより高い負荷に接続された電源装置の出力部に異常が発生した場合、この出力を停止するとともに、優先順位のより低い負荷に接続されている電源装置の出力部から優先順位の高い負荷に電力を供給する技術が提案されている（特許文献３参照）。
【０００８】
【特許文献１】特開平８−２８６５７２号公報
【特許文献２】特開平２−６８５７０号公報
【特許文献３】特開平９−１６８２４３号公報
【発明の開示】
【発明が解決しようとする課題】
【０００９】
しかしながら、上記特許文献３記載の従来技術にあっては、電気機器の備えている複数の動作モードのうち、現在の動作モードの実行に必要な機能モジュールを適切に選択して動作させることができず、改良の必要があった。
【００１０】
すなわち、複合装置等の多機能化された電気機器にあっては、複数の機能モジュールの動作の優先順位を予め設定することは困難であり、その電気機器の動作モード（ジョブ）によって、該動作モードの実行に必要な機能モジュールの優先順位は切り換わる。
【００１１】
例えば、複合装置の場合、その機能モジュールは、画像形成するプロッタエンジン、原稿の画像を読み取るスキャナエンジン、装置全体の制御を行うコントローラ、ファクシミリ通信を行うファクシミリユニット、各種データの記憶を行うメモリモジュール、複合装置の操作を行う操作部等があり、また、複合装置の主要な動作モードにおいて必要な機能モジュールは、コピーモードでは、プロッタエンジンとスキャナエンジン、プリントモードでは、プロッタエンジンとコントローラまたはメモリモジュール、スキャンモードでは、スキャナエンジンとメモリモジュール、ファクシミリ送信モードでは、ファックスユニットとスキャナエンジンまたはメモリモジュール、ファクシミリ受信モードでは、ファックスユニットとプロッタエンジンまたはメモリモジュール等である。
【００１２】
すなわち、「コピーモード」では、操作部からの操作により、スキャナエンジンで読み取った画像データがプロッタエンジンに転送され、用紙に出力される。また、スキャナエンジンの生産性がプロッタエンジンの生産性よりも高い場合は、スキャナエンジンとプロッタエンジンの間にメモリモジュールを介在することにより生産性の差異を吸収することもできる。
【００１３】
また、「プリントモード」では、外部のパーソナルコンピュータ等から転送されてきたデータをコントローラでフォーマット変換した画像データをプロッタエンジンに転送して、プリンタエンジンで用紙に出力する。
【００１４】
さらに、「スキャンモード」では、スキャナエンジンで読み取った画像データがメモリモジュールに格納される。スキャンモードの操作は、コントローラを介して外部のパーソナルコンピュータで行うこともできるし、操作部を介して行うこともできる。
【００１５】
また、「ファクシミリ送信モード」では、操作部からの操作により、スキャナエンジンで読み取った画像データがファクシミリユニットを介して公衆回線に出力される。また、メモリモジュール内の画像データをファクシミリユニットを介して公衆回線に出力することもできる。
【００１６】
さらに、「ファクシミリ受信モード」では、公衆回線から転送される画像データがファクシミリユニットを介してプロッタエンジンに転送され、用紙に出力される。また、ファクシミリユニットから画像データをメモリモジュールに格納することもできる。
【００１７】
このように、複合装置の複数の機能モジュールのうち、複合装置の動作モードによって動作する機能モジュールが異なり、同じ動作モードであっても、例えば、メモリモジュールを使用するか否かで、さらに、動作する機能モジュールが異なることとなり、複合装置の動作モード（ジョブ）によって、機能モジュールの優先順位が変化する。
【００１８】
したがって、特許文献３記載の従来技術にあっては、電源部の一部の電力出力系統に異常が発生した場合に、電気機器の動作モードに応じた機能モジュールの選択を行って電力供給をし、重要な機能モジュールの動作を確保して、電気機器の適切な動作を行わせる上で、改良の必要があった。
【００１９】
そこで、本発明は、電源部の複数電力出力系統の一部の電力出力系統に異常が発生した場合にも、安定した動作を確保する電源制御装置及び電気機器を提供することを目的としている。
【課題を解決するための手段】
【００２０】
請求項１記載の発明の電源制御装置は、複数の電力出力系統を有する電源部から電力供給を受けて動作する複数の機能モジュールのうち任意の機能モジュールが動作することで各種動作モードを実行する該機能モジュールでの電力消費を制御する電源制御装置であって、前記電源部の各電力出力系統の異常発生の有無を検出する異常検出手段と、該異常検出手段が該電源部の一部の電力出力系統の異常発生を検出すると、前記複数の機能モジュールのうち、該異常発生時の動作モードで使用する前記機能モジュール以外の機能モジュールの動作を停止させる電源制御手段と、を備えていることにより、上記目的を達成している。
【００２１】
請求項２記載の発明の電気機器は、複数の電力出力系統を有する電源部から電力供給を受けて動作する複数の機能モジュールのうち任意の機能モジュールを使用して実行する動作モードを複数備えた電気機器において、前記電源部の各電力出力系統の異常発生の有無を検出する異常検出手段と、該異常検出手段が該電源部の一部の電力出力系統の異常発生を検出すると、前記複数の機能モジュールのうち、該異常発生時の動作モードで使用する前記機能モジュール以外の機能モジュールの動作を停止させる電源制御手段と、を備えていることにより、上記目的を達成している。
【００２２】
上記各場合において、例えば、請求項３に記載するように、前記異常検出手段は、前記電源部の各電力出力系統の出力電圧に基づいて各電力出力系統の異常発生の有無を検出するものであってもよい。
【００２３】
また、例えば、請求項４に記載するように、前記異常検出手段は、前記電源部の各電力出力系統の温度に基づいて各電力出力系統の異常発生の有無を検出するものであってもよい。
【００２４】
さらに、例えば、請求項５に記載するように、前記電源制御手段は、前記電源部から前記機能モジュールへの電源の供給を遮断して、該機能モジュールの動作を停止させるものであってもよい。
【００２５】
また、例えば、請求項６に記載するように、前記機能モジュールは、制御系と駆動負荷系を有する機能モジュールが存在し、前記電源部は、該機能モジュールの制御系に電力を供給する制御系電力出力系統と該駆動負荷系に電力を供給する駆動系電力出力系統を有し、前記異常検出手段は、該電源部の該制御系電力出力系統の異常発生の有無を検出し、前記電源制御手段は、先に、該電源部の駆動系電力出力系統から該機能モジュールの駆動系負荷系への電力供給を遮断し、その後、該電源部の制御系電力出力系統から該機能モジュールの制御系への電力供給を遮断してもよい。
【００２６】
さらに、例えば、請求項７に記載するように、前記電源制御手段は、前記機能モジュールの動作クロックを低下または停止させて、該機能モジュールの動作を停止させるものであってもよい。
【００２７】
また、例えば、請求項８に記載するように、前記電源制御手段は、前記機能モジュールをリセットさせることで、該機能モジュールの動作を停止させるものであってもよい。
【００２８】
さらに、例えば、請求項９に記載するように、前記電源制御手段は、前記複数の機能モジュールのうち他の機能モジュールの動作を制御する制御機能モジュールに組み込まれていてもよい。
【００２９】
また、例えば、請求項１０に記載するように、前記電源制御手段は、前記複数の機能モジュールのうち他の機能モジュールの動作を指示操作する操作機能モジュールに組み込まれていてもよい。
【００３０】
さらに、例えば、請求項１１に記載するように、前記電源制御手段は、前記複数の機能モジュールに組み込まれており、前記動作モードに応じて該電源制御手段の組み込まれている機能モジュールが切り換わって、該電源制御手段によって前記電源制御機能を実行してもよい。
【発明の効果】
【００３１】
本発明の電源制御装置によれば、複数の電力出力系統を有する電源部の一部の電力出力系統に異常が発生すると、該電源部から電力供給を受けて動作する複数の機能モジュールのうち、該異常発生時の動作モードで使用する機能モジュール以外の機能モジュールの動作を停止させるので、少なくとも実行中の動作モードで使用する機能モジュールの動作を確保して、該動作モードの実行を継続させることができ、電源部の一部の電力出力系統に故障等が発生しても、実行中の動作ジョブを確実に実行して、利用性を向上させることができる。
【００３２】
また、本発明の電気機器によれば、複数の電力出力系統を有する電源部の一部の電力出力系統に異常が発生すると、該電源部から電力供給を受けて動作する複数の機能モジュールのうち、該異常発生時の電気機器の動作モードで使用する機能モジュール以外の機能モジュールの動作を停止させるので、少なくとも実行中の動作モードで使用する機能モジュールの動作を確保して、該動作モードの実行を継続させることができ、電源部の一部の電力出力系統に故障等が発生しても、実行中の動作ジョブを確実に実行して、利用性を向上させることができる。
【発明を実施するための最良の形態】
【００３３】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００３４】
図１〜図１２は、本発明の電源制御装置及び電気機器の第１実施例を示す図であり、図１は、本発明の電源制御装置及び電気機器の第１実施例を適用した複合装置１の正面概略構成図である。
【００３５】
図１において、複合装置（電気機器）１は、本体筐体２の上面部に、コンタクトガラス３が配設されており、コンタクトガラス３の下方の本体筐体２の内部に、図示しない第１キャリッジに搭載されたランプ４と第１ミラー５、図示しない第２キャリッジに搭載された第２ミラー６と第３ミラー７、レンズ８及びＣＣＤ９からなるスキャナエンジンユニット１０が配設されている。
【００３６】
スキャナエンジンユニット１０は、第１キャリッジ及び第２キャリッジが、図示しないモータにより駆動されて、図１の左右方向である副走査方向に移動し、コンタクトガラス３上に固定的にセットされた原稿を主走査及び副走査して、原稿の画像を読み取る。
【００３７】
複合装置１は、本体筐体２の上部にＡＤＦ（Auto Document Feeder）２０がコンタクトガラス３の上面を開閉可能に取り付けられており、ＡＤＦ２０は、開くことで、コンタクトガラス３上に原稿をセット可能となっていて、コンタクトガラス３上に原稿がセットされた状態で閉じられると、当該原稿をコンタクトガラス３に押しつける圧板の機能も有している。
【００３８】
ＡＤＦ２０は、原稿台２１、給送ローラ２２、給送ベルト２３、該給送ベルト２３に沿って複数配設された搬送ローラ２４、排紙ローラ２５、排紙台２６及び原稿セット検知センサ２７等が配設されている。
【００３９】
ＡＤＦ２０は、原稿台２１に原稿がその画像面を上にして原稿束がセットされている状態で、図示しない操作表示部上のスタートキーが押下されると、給送ローラ２２により原稿台２１上にセットされた原稿束の一番下の原稿から１枚ずつ分離して、給送ベルト２３に送り出し、給送ベルト２３に送り出した原稿を搬送ローラ２４で移動される給紙ベルト２３によってコンタクトガラス３上の所定の位置に給送する。
【００４０】
複合装置１は、コンタクトガラス３上の原稿を、スキャナエンジンユニット１０によってその画像情報を読み取った後に、給送ベルト２３、排送ローラ２５によって排紙台２６上に排出する。
【００４１】
このＡＤＦ２０は、一枚の原稿の給送完了毎に原稿枚数をカウントアップするカウント機能を有している。
【００４２】
複写装置１は、原稿セット検知センサ２７が原稿台２１上に次の原稿が有ることを検知すると、上記同様に、原稿台２１上の一番下の原稿を給送ローラ２２及び給送ベルト２３でコンタクトガラス３上の所定の位置に給送し、コンタクトガラス３上の原稿の画像情報を、スキャナエンジンユニット１０で読み取った後、給送ベルト２３、排送ローラ２５によって排紙台２６上に排出する。なお、給送ローラ２２、給送ベルト２３及び排送ローラ２５は、図示しない搬送モータによって駆動される。
【００４３】
複写装置１は、本体筐体２内のスキャナエンジンユニット１０の下方に、プロッタエンジンユニット３０が配設されており、プロッタエンジンユニット３０は、感光体（例えば、感光体ドラム）３１、書込ユニット３２、現像部３３、搬送ベルト３４、定着部３５、搬送切換排紙部３６、両面入紙搬送路３７、反転排紙搬送路３８、反転ユニット３９、両面搬送ユニット４０、給紙部群４１、搬送ユニット４２及び排紙トレイ４３等が配設されている。
【００４４】
プロッタエンジンユニット３０は、図示しないメインモータにより図１の時計方向に回転駆動される感光体３１の表面を、図示しない帯電器により一様に帯電させ、その感光体３１の表面にスキャナエンジンユニット１０で読み取られた画像情報または図示しない外部装置（例えば、パーソナルコンピュータ等）から送られてきたデータに基づいて書込ユニット３２により書き込ませて、静電潜像を形成させる。プロッタエンジンユニット３０は、静電潜像の形成された感光体３１に、現像部３３からトナーを供給して、トナー画像として顕像化し、感光体３１上の顕像化したトナー画像を転写機能を兼ね備えた搬送ベルト３４で、給紙部群４１の１つから給紙されて搬送ユニット４２で搬送されてきた用紙Ｐに転写させる。プロッタエンジンユニット３０は、トナー画像の転写された用紙Ｐを搬送ベルト３４で定着部３５に搬送させて、定着部３５で定着処理を行わせた後、搬送切換排紙部３６に送って、搬送切換排紙部３６で、搬送経路の切り換えを行う。搬送切換排紙部３６は、用紙Ｐをそのまま排紙するときには、本体筐体２の側面に設けられた排紙トレイ４３上に排紙させる。プロッタエンジンユニット３０は、転写の完了した感光体３１を図示しないクリーニング部でクリーニングして残留トナーを除去し、図示しない除電部で除電した後、再度、帯電部で一様に帯電させて、次の画像形成に供する。
【００４５】
搬送切換排紙部３６には、両面入紙搬送路３７と反転排紙搬送路３８によって、用紙Ｐの表裏面を反転させる反転ユニット３９と反転ユニット３９で反転された用紙Ｐを再度搬送ユニット４２を介して感光体３１と搬送ベルト３４との間に搬送する両面搬送ユニット４０が接続されており、搬送切換排紙部３６は、反転排紙または両面記録が選択されていると、片面に画像が形成されて定着の完了した用紙Ｐを反転排紙搬送路３８を介して反転ユニット３９に送り込む。
【００４６】
反転ユニット３９は、反転排紙が選択されていると、搬送切換排紙部３６から送り込まれてくる用紙Ｐを一旦引き込んで用紙Ｐの表裏面を反転させた状態で、反転排紙搬送路３８を介して搬送切換排紙部３６に送り出し、搬送切換排紙部３６は、反転ユニット３９で表裏面の反転された用紙Ｐを排紙トレイ４３上に排出する。
【００４７】
両面搬送ユニット４０は、両面記録が選択されていると、反転ユニット３９が一旦引き込んで表裏面を反転させた用紙Ｐを引き込んで、搬送ユニット４２に送り出し、搬送ユニット４２が、再度、感光体３１と搬送ベルト３４との間に搬送させて、裏面への画像形成に供する。
【００４８】
上記給紙部群４１は、第１給紙部５１から第３給紙部５３の３つの給紙部を備え、各給紙部５１〜５３は、それぞれ第１給紙トレイ５１ａ〜第３給紙トレイ５３ａと、各給紙トレイ５１ａ〜５３ａ内の用紙Ｐを１枚ずつ分離して搬送ユニット４２に送り出す給紙ローラ部５１ｂ〜５３ｂを備えている。給紙部群４１は、選択された給紙部５１〜５３の給紙ローラ部５１ｂ〜５３ｂを駆動させて、該選択された給紙部５１〜５３の給紙トレイ５１ａ〜５３ａ内の用紙Ｐを１枚ずつ分離して搬送ユニット４２に送り出す。
【００４９】
搬送ユニット４２は、給紙部群４１の給紙部５１〜５３から送り出された用紙Ｐを感光体３１と搬送ベルト３４との間に搬送する。
【００５０】
そして、複合装置１は、図２に示すようにブロック構成されており、上記スキャナエンジンユニット１０、プロッタエンジンユニット３０を備えているとともに、ＦＡＸユニット６０、コントローラ７０及びハードディスク（ＨＤＤ）８０等を備えている。複合装置１は、ＨＤＤ８０がコントローラ７０に接続されて、コントローラ７０の制御下でデータの書き込み及び読み出しが行われ、スキャナエンジンユニット１０、プロッタエンジンユニット３０、ＦＡＸユニット６０及びコントローラ７０が、画像データバス９０で接続されている。また、複合装置１は、図１及び図２には図示しないが操作表示部を備えており、操作表示部には、複合装置１に各種動作を行わせるための操作キー及び操作キーから入力操作された内容や複合装置１からユーザに通知する各種情報を表示する表示部（例えば、ＬＣＤ（Liquid Crystal Display））等が設けられている。
【００５１】
この複合装置１は、上記各ユニット１０、３０、６０及びコントローラ７０、ＨＤＤ８０を利用して、コピー機能、プリンタ機能、スキャン機能及びファクシミリ機能の各動作機能を実行し、操作表示部のアプリケーション切換キー等によりコピー機能、プリンタ機能、スキャン機能、ファクシミリ機能を順次切り換えて選択することができる。複合装置１は、コピー機能が選択されたときには、コピーモードとなり、プリンタ機能が選択されたときには、プリントモードとなり、スキャン機能が選択されたときには、スキャンモードとなり、ファクシミリモードが選択されたときには、ファクシミリモードとなる。
【００５２】
以下、複合装置１は、各動作モードでの動作処理を順次説明する。まず、コピーモードのうち、ＡＤＦ２０を用いたコピーモードでは、複合装置１は、原稿台２１に原稿がその画像面を上にしてセットされて、操作表示部上のスタートキーが押下されると、一番下の原稿から給送ローラ２２と給送ベルト２３によってコンタクトガラス３上の所定の位置に給送し、コンタクトガラス３上の原稿を、スキャナエンジンユニット１０によって走査してその画像情報を読み取る。複合装置１は、画像情報の読み取りの完了した原稿を、給送ベルト２３及び排送ローラ２５によって排紙台２６上に排出する。ＡＤＦ２０を用いないコピー処理では、ＡＤＦ２０を開いてコンタクトガラス３上にセットされた原稿の画像をスキャナエンジンユニット１０によって読み取る。複合装置１は、スキャナエンジンユニット１０で原稿から読み取った画像データをプロッタエンジンユニット３０の書込ユニット３２に渡して、書込ユニット３２で光情報に変換して、一様に帯電されている感光体３１に照射して、静電潜像を形成する。プロッタエンジンユニット３０は、上述のように、感光体３１上の静電潜像を現像部３３からトナーを供給して、トナー画像として顕像化し、顕像化したトナー画像を転写機能を兼ね備えた搬送ベルト３４で、給紙部群４１の１つから給紙されて搬送ユニット４２で搬送されてきた用紙Ｐに転写させる。プロッタエンジンユニット３０は、トナー画像の転写された用紙Ｐを搬送ベルト３４で定着部３５に搬送して、定着部３５で定着処理を行った後、搬送切換排紙部３６に送って、搬送切換排紙部３６で、搬送経路の切り換えを行う。搬送切換排紙部３６は、用紙Ｐをそのまま排紙するときには、本体筐体２の側面に設けられた排紙トレイ４３上に排紙し、反転排紙または両面記録が選択されていると、反転ユニット３９や両面搬送ユニット４０を利用して、反転排紙または両面記録を行うことで、コピー動作処理を行う。
【００５３】
次に、プリントモードでは、複合装置１は、スキャナエンジンユニット１０からの画像データの代わりに、外部（パーソナルコンピュータ等）からの画像データを、コントローラ７０でフォーマット変換して、プロッタエンジンユニット３０の書込ユニット３２に入力し、上記同様に、プロッタエンジンユニット３０で、片面記録、反転排紙、両面記録に応じて画像形成することで、プリント動作処理を行う。
【００５４】
また、スキャンモードでは、複合装置１は、上述のようにして、スキャナエンジンユニット１０で読み取った原稿の画像データを、コントローラ７０を経由してハードディスク（ＨＤＤ）８０に格納し、その後、必要に応じて、外部のパーソナルコンピュータ等に転送する。このスキャンモードの操作は、操作表示部で行うこともできるし、コントローラ７０を介して外部のパーソナルコンピュータ等で行うこともできる。
【００５５】
さらに、ファクシミリ送信モードでは、複合装置１は、スキャナエンジンユニット１０からの画像データをＦＡＸユニット６０に渡して、ＦＡＸユニット６０の送信部からモデムを介して公衆回線に送信し、また、予めＨＤＤ８０に格納されている画像データのうち送信対象の画像データをＨＤＤ８０から読み出して、ＦＡＸユニット６０の送信部に渡して、ＦＡＸユニット６０の送信部からモデムを介して公衆回線に送信する。
【００５６】
また、ファクシミリ受信モードでは、複合装置１は、公衆回線からモデムを介してＦＡＸユニット６０の受信部で画像データを受信し、該受信した画像データを、プロッタエンジンユニット３０の書込ユニット３２に渡して、上述のように、プロッタエンジンユニット３０によって該受信した画像データに基づいて用紙Ｐ上に画像を形成する。なお、ファクシミリ受信モードでは、複合装置１は、受信した画像データを書込ユニット３２に渡してプロッタエンジンユニット３０で用紙Ｐに画像形成する代わりに、ＨＤＤ８０に格納してもよい。
【００５７】
そして、複合装置１は、図３に示す電源部１００を備えており、電源部１００は、複数（図３では、４つ）の電力出力系統として制御用電源モジュール１０１〜１０４、駆動用電源モジュール１０５及び監視用電源モジュール１０６を備えているとともに、制御用電源異常検出モジュール（異常検出手段、電源制御手段）１０７等を備えている。
【００５８】
各制御用電源モジュール１０１〜１０４は、外部商用電源から制御用の電源を生成して、複合装置１の各部１０、３０、６０、７０に制御用の電源母線Ｐｓを介して制御用の電力として供給するとともに、その出力電源電圧を制御用電源異常検出モジュール１０７に入力する。この制御用電源モジュール１０１〜１０４は、例えば、ＦＡＸユニット６０が拡張オプションユニットであって未装着の場合、制御用電源モジュール１０１〜１０３の総電力供給能力が、プロッタエンジンユニット３０、スキャナエンジンユニット１０、コントローラ７０ならびにＨＤＤ８０の各動作モードにおける制御用電源の最大電力を賄うのに十分な電力供給能力を有していればよく、ＦＡＸユニット６０が拡張された場合、電源部１００に対して更に制御用電源モジュール１０４を装着するようにしてもよい。
【００５９】
監視用電源モジュール１０６は、制御用電源異常検出モジュール１０７専用の電源モジュールであるが、制御用電源異常検出モジュール１０７の電源は、専用の監視用電源モジュール１０６を用いる場合に限るものではなく、他の制御用電源モジュール１０１〜１０４の出力を用いたり、駆動用電源モジュール１０５を電圧レギュレータ等で降圧して制御用電源異常検出モジュール１０７の電源に用いてもよい。
【００６０】
駆動用電源モジュール１０５は、主にプロッタエンジンユニット３０のモータ、クラッチ、ソレノイド等の駆動部（駆動負荷）に電力を供給するものであり、駆動用電源母線Ｐｄを介して駆動用電力を供給する。
【００６１】
制御用電源異常検出モジュール１０７は、制御用電源モジュール１０１〜１０４の出力状態を監視し、少なくとも１つの制御用電源モジュール１０１〜１０４の異常を検出すると、制御停止信号を、スキャナエンジンユニット１０、プロッタエンジンユニット３０、ＦＡＸユニット６０及びコントローラ７０のうち、適切なユニット１０、３０、６０、７０に出力して、該ユニット１０、３０、６０、７０の動作を停止させる。
【００６２】
この制御用電源異常検出モジュール１０７は、図４に示すように回路構成されており、各制御用電源モジュール１０１〜１０４に対応して設けられている制御用電源異常検出回路１１１〜１１４、ＮＡＮＤ回路１１５及びモード判定部１１６等を備えている。
【００６３】
各制御用電源異常検出回路１１１〜１１４には、上記制御用電源モジュール１０１〜１０４の出力電圧が入力されており、各制御用電源異常検出回路１１１〜１１４は、入力される制御用電源モジュール１０１〜１０４の出力電圧が正常であると、Ｈ（ハイ）レベルの制御用電源異常検出信号をＮＡＮＤ回路１１５に出力し、入力される制御用電源モジュール１０１〜１０４の出力電圧が異常であると、Ｌ（ロー）レベルの制御用電源異常検出信号をＮＡＮＤ回路１１５に出力する。
【００６４】
ＮＡＮＤ回路１１５は、各制御用電源異常検出回路１１１〜１１４から入力される全ての制御用電源異常検出信号が正常を示すＨレベルであると、Ｈレベルの制御用電源異常検出信号をモード判定部１１６に出力し、各制御用電源異常検出回路１１１〜１１４から入力される制御用電源異常検出信号のうち１つでも異常を示すＬレベルであると、Ｌレベルの制御用電源異常検出信号をモード判定部１１６に出力する。これら制御用電源異常検出回路１１１〜１１４及びＮＡＮＤ回路１１５は、全体として異常検出手段として機能している。
【００６５】
モード判定部（電源制御手段）１１６は、複合装置１の現在の動作モードを認識しており、認識した動作モードにおいてスキャナエンジンユニット１０、プロッタエンジンユニット３０、ＦＡＸユニット６０及びコントローラ７０の中で稼働中のユニット、待機中のユニットを把握している。モード判定部１１６は、初期値として制御停止信号をＨレベルとし、複合装置１の動作モードが確定していないときを含め、通常状態では、Ｈレベルの制御停止信号をユニット１０、３０、６０、７０に出力し、ＮＡＮＤ回路１１５からの制御用電源異常検出信号を判定して、制御用電源異常検出信号がＬレベルであると、すなわち、制御用電源モジュール１０１〜１０４のうち少なくとも１つの制御用電源モジュール１０１〜１０４の出力が異常であった場合には、待機中のユニット１０、３０、６０、７０に対してＬレベルの制御停止信号を出力する。
【００６６】
なお、図４の制御用電源異常検出モジュール１０７では、制御用電源異常検出回路１１１〜１１４の出力する制御用電源異常検出信号をＮＡＮＤ回路１１５で合成してモード判定部１１６に入力しているが、各制御用電源異常検出回路１１１〜１１４の出力する制御用電源異常検出信号を独立してモード判定部１１６に入力してもよい。このようにすると、モード判定部１１６が、制御用電源異常検出回路１１１〜１１４からの制御用電源異常検出信号の状態をそれぞれ独立して判定することができ、１つの制御用電源モジュール１０１〜１０４の異常であるのか、複数の制御用電源モジュール１０１〜１０４が同時に異常であるのか、また、どの制御用電源モジュール１０１〜１０４が異常であるのかを判別することができる。
【００６７】
上記制御用電源異常検出回路１１１〜１１４は、図５に示すように回路構成されており、それぞれコンパレータ１１１Ｃｐ〜１１１４Ｃｐ、分圧抵抗１１１Ｒａ、１１１Ｒｂ〜１１４Ｒａ〜１１４Ｒｂ及び抵抗１１４Ｒｃ〜１１４Ｒｃを備えている。各制御用電源異常検出回路１１１〜１１４は、そのコンパレータ１１１Ｃｐ〜１１４Ｃｐの＋入力端子に、それぞれ制御用電源モジュール１０１〜１０４の出力電圧が入力されており、コンパレータ１１１Ｃｐ〜１１４Ｃｐの−入力端子に、分圧抵抗１１１Ｒａ、１１１Ｒｂ〜１１４Ｒａ〜１１４Ｒｂの分圧電圧が制御用電源モジュール１０１〜１０４の異常を検出するための規定値として入力されている。各制御用電源異常検出回路１１１〜１１４は、対応する制御用電源モジュール１０１〜１０４の出力電圧が正常値、すなわち、分圧抵抗１１１Ｒａ、１１１Ｒｂ〜１１４Ｒａ〜１１４Ｒｂで設定される分圧電圧である規定値よりも高い場合には、Ｈレベルの制御用電源異常検出信号をＮＡＮＤ回路１１５に出力し、制御用電源モジュール１０１〜１０４の出力電圧が異常値、すなわち、分圧抵抗１１１Ｒａ、１１１Ｒｂ〜１１４Ｒａ〜１１４Ｒｂの分圧電圧（規定値）よりも低い場合には、Ｌレベルの制御用電源異常検出信号をＮＡＮＤ回路１１５に出力する。例えば、制御用電源モジュール１０１〜１０４の出力電圧保証値を５Ｖ±３％としたとき、分圧抵抗１１１Ｒａ、１１１Ｒｂ〜１１４Ｒａ〜１１４Ｒｂの分圧電圧（規定値）を４．８Ｖとすることにより、通常の正常状態では、制御用電源モジュール１０１〜１０４の出力電圧は正常値（上記の場合、５Ｖ±３％）を示すので、制御用電源モジュール１０１〜１０４の出力電圧の異常の有無を適切に検出することができる。
【００６８】
また、上記スキャナエンジンユニット１０、プロッタエンジンユニット３０、ＦＡＸユニット６０及びコントローラ７０のうち、プロッタエンジンユニット３０を除いた各ユニット１０、６０、７０は、例えば、図６にその制御回路のみを示すように、制御用電源遮断用のリレー１２０が、電源部１００からの制御用電源の供給される電源母線Ｐｓと各ユニット１０、６０、７０の制御デバイス１３０、１３１及びリセットＩＣ（Integrated Circuit：集積回路）１３２との間に、配設されており、リレー１２０には、制御用電源異常検出モジュール１０７から制御停止信号が入力される。リレー１２０は、制御停止信号がＨレベルのときには、オンして、電源部１００からの制御用電源を制御デバイス１３０、１３１及びリセットＩＣ１３２に供給し、制御停止信号がＬレベルのときには、オフして、電源部１００からの制御用電源の制御デバイス１３０、１３１及びリセットＩＣ１３２への供給を停止する。リセットＩＣ１３２は、リレー１２０がオフして、制御用電源の供給が停止されると、制御デバイス１３０、１３１の処理動作を停止させるために、制御デバイス１３０、１３１をリセットする。
【００６９】
そして、上記プロッタエンジンユニット３０は、例えば、図７にその制御回路と負荷を示すように、制御用電源遮断用のリレー１２１が、電源部１００の制御用電源モジュール１０１〜１０４からの制御用電源の供給される電源母線Ｐｓとプロッタエンジンユニット３０の制御デバイス１３３、１３４及びリセットＩＣ１３５との間に、配設されており、また、駆動用電源遮断用のリレー１２２が、電源部１００の駆動用電源モジュール１０５からの駆動用電源の供給される電源母線Ｐｄとプロッタエンジンユニット３０の負荷１３６との間に、配設されている。リレー１２１及びリレー１２２には、制御用電源異常検出モジュール１０７から制御停止信号が入力され、リレー１２１は、制御停止信号がＨレベルのときには、オンして、電源部１００の制御用電源モジュール１０１〜１０４からの制御用電源を制御デバイス１３３、１３４及びリセットＩＣ１３５に供給し、制御停止信号がＬレベルのときには、オフして、電源部１００の制御用電源モジュール１０１〜１０４からの制御用電源の制御デバイス１３３、１３４及びリセットＩＣ１３５への供給を停止する。リレー１２２は、制御停止信号がＨレベルのときには、オンして、電源部１００の駆動用電源モジュール１０５からの駆動用電源を負荷１３６に供給し、制御停止信号がＬレベルのときには、オフして、電源部１００の駆動用電源モジュール１０５からの駆動用電源の負荷１３６への供給を停止する。この負荷１３６は、例えば、プロッタエンジンユニット３０のモータ、クラッチ、ソレノイド等の駆動負荷である。すなわち、プリンタエンジンユニット３０は、制御系と駆動負荷系を有している。
【００７０】
また、リセットＩＣ１３２は、リレー１２１がオフして、制御用電源の供給が停止されると、制御デバイス１３３、１３４の処理動作を停止させるために、制御デバイス１３３、１３４をリセットする。
【００７１】
次に、本実施例の作用を説明する。本実施例の複合装置１は、制御用電源異常検出モジュール１０７が制御用電源モジュール１０１〜１０４のうち少なくとも１つ以上の異常を検出すると、そのときの複合装置１の動作モードに応じて不要なユニット１０、３０、６０、７０への電源の供給を遮断して対応するユニット１０、３０、６０、７０の動作を停止させる。
【００７２】
すなわち、複合装置１は、スキャナエンジンユニット１０、プロッタエンジンユニット３０、ＦＡＸユニット６０、コントローラ７０及びコントローラ７０の制御下のＨＤＤ８０等を機能モジュールとして備えており、電源部１００の制御用電源モジュール１０１〜１０４からの制御用電源と駆動用電源モジュール１０５からの駆動用電源により、コピー機能、プリンタ機能、スキャン機能及びファクシミリ機能の各動作機能を実行する。そして、複合装置１は、操作表示部のアプリケーション切換キー等によりコピー機能、プリンタ機能、スキャン機能、ファクシミリ機能を順次切り換えて選択することができ、コピー機能が選択されたときには、コピーモードとなり、プリンタ機能が選択されたときには、プリントモードとなり、スキャン機能が選択されたときには、スキャンモードとなり、ファクシミリモードが選択されたときには、ファクシミリモードとなる。
【００７３】
そして、複合装置１は、制御用電源モジュール１０１〜１０４の異常の有無を制御用電源異常検出モジュール１０７で検出し、制御用電源異常検出モジュール１０７が、制御用電源モジュール１０１〜１０４の少なくとも１つの異常を検出すると、スキャナエンジンユニット１０、プロッタエンジンユニット３０、ＦＡＸユニット６０、コントローラ７０のうち、当該制御用電源モジュール１０１〜１０４の異常検出時の複合装置１の動作モードに応じて不要なスキャナエンジンユニット１０、プロッタエンジンユニット３０、ＦＡＸユニット６０、コントローラ７０の動作を停止させる。
【００７４】
具体的には、制御用電源異常検出モジュール１０７は、図４に示したように、その各制御用電源異常検出回路１１１〜１１４に、制御用電源モジュール１０１〜１０４の出力電圧が入力されており、各制御用電源異常検出回路１１１〜１１４は、入力される制御用電源モジュール１０１〜１０４の出力電圧が正常であると、Ｈ（ハイ）レベルの制御用電源異常検出信号をＮＡＮＤ回路１１５に出力し、入力される制御用電源モジュール１０１〜１０４の出力電圧が異常であると、Ｌ（ロー）レベルの制御用電源異常検出信号をＮＡＮＤ回路１１５に出力する。ＮＡＮＤ回路１１５は、各制御用電源異常検出回路１１１〜１１４から入力される全ての制御用電源異常検出信号が正常を示すＨレベルであると、Ｈレベルの制御用電源異常検出信号をモード判定部１１６に出力し、各制御用電源異常検出回路１１１〜１１４から入力される制御用電源異常検出信号のうち１つでも異常を示すＬレベルであると、Ｌレベルの制御用電源異常検出信号をモード判定部１１６に出力する。
【００７５】
そして、モード判定部１１６は、複合装置１の現在の動作モードを認識しており、認識した動作モードにおいてスキャナエンジンユニット１０、プロッタエンジンユニット３０、ＦＡＸユニット６０及びコントローラ７０の中で稼働中のユニット、待機中のユニットを把握している。モード判定部１１６は、初期値として制御停止信号をＨレベルとし、複合装置１の動作モードが確定していないときを含め、通常状態では、Ｈレベルの制御停止信号をユニット１０、３０、６０、７０に出力し、ＮＡＮＤ回路１１５からの制御用電源異常検出信号を判定して、制御用電源異常検出信号がＬレベルであると、すなわち、制御用電源モジュール１０１〜１０４のうち少なくとも１つの制御用電源モジュール１０１〜１０４の出力が異常であった場合には、待機中のユニット１０、３０、６０、７０に対してＬレベルの制御停止信号を出力する。
【００７６】
例えば、制御用電源モジュール１０１〜１０４のうち、一部の電源モジュール（例えば、電源モジュール１０１）が故障した場合、制御用電源モジュール１０１〜１０４の負荷は、スキャナエンジンユニット１０、プロッタエンジンユニット３０、ＦＡＸユニット６０、コントローラ７０及びＨＤＤ８０であり、正常な状態のときには４つの制御用電源モジュール１０１〜１０４の総電力供給能力で賄っていたのに対して、１つ、例えば、制御用電源モジュール１０１が故障したことにより、同一の負荷を３つの制御用電源モジュール１０２〜１０４の総電力供給能力で賄わなければならなくなる。そのため、異常の発生していない他の３つの制御用電源モジュール１０２〜１０４は想定以上の出力電流となることから、過電流検出が機能して制御用電源モジュール１０２〜１０４が出力を遮断し、複合装置１は全てが停止状態となる。その結果、制御用電源モジュール１０１〜１０４の異常が、例えば、コピー動作等のジョブ実行中に発生すると、実行中のジョブが失われて、利用性が損なわれる。
【００７７】
そこで、本実施例の複合装置１は、このように制御用電源モジュール１０１〜１０４に異常が発生した場合に、そのときの複合装置１の動作モードに応じて不要なスキャナエンジンユニット１０、プロッタエンジンユニット３０、ＦＡＸユニット６０、コントローラ７０及びＨＤＤ８０の動作を停止させる。
【００７８】
具体的には、制御制御用電源異常検出モジュール１０７のモード判定部１１６は、動作モードがコピーモード、すなわち、コピージョブ実行中に電源部１００の制御用電源モジュール１０１〜１０４の異常発生を認識すると、コピーモードにおける稼働中ユニットであるプロッタエンジンユニット３０とスキャナエンジンユニット１０のジョブの継続を優先させるために、待機中のユニットであるコントローラ７０とＦＡＸユニット６０に対して制御停止信号を出力する。また、コピーモードであっても、スキャナエンジンユニット１０からコントローラ７０を介して一旦ＨＤＤ８０に画像データを蓄積して、画像データの蓄積が完了すると、ＨＤＤ８０からプロッタエンジンユニット３０へと画像データを転送してプリントジョブを実行するようなコピーモードであれば、モード判定部１１６は、プロッタエンジンユニット３０とＨＤＤ８０を制御するコントローラ７０のジョブの継続を優先させ、スキャナエンジンユニット１０とＦＡＸユニット６０に対してＬレベルの制御停止信号を出力する。
【００７９】
また、制御制御用電源異常検出モジュール１０７のモード判定部１１６は、動作モードがプリントモード、すなわち、プリントジョブ実行中に電源部１００の制御用電源モジュール１０１〜１０４の異常発生を認識すると、プリントモードにおける稼働中ユニットであるプロッタエンジンユニット３０とコントローラ７０のジョブの継続を優先させるために、待機中のユニットであるスキャナエンジンユニット１０とＦＡＸユニット６０に対してＬレベルの制御停止信号を出力する。
【００８０】
さらに、制御制御用電源異常検出モジュール１０７のモード判定部１１６は、動作モードがスキャナモード、すなわち、スキャンジョブ実行中に電源部１００の制御用電源モジュール１０１〜１０４の異常発生を認識すると、スキャンモードにおける稼働中ユニットであるスキャナエンジンユニット１０とＨＤＤ８０を制御するコントローラ７０のジョブの継続を優先させるために、待機中のユニットであるプロッタエンジンユニット３０とＦＡＸユニット６０に対してＬレベルの制御停止信号を出力する。
【００８１】
また、制御制御用電源異常検出モジュール１０７のモード判定部１１６は、動作モードがファクシミリ送信モード、すなわち、ファクシミリ送信ジョブ実行中に電源部１００制御用電源モジュール１０１〜１０４の異常発生を認識すると、ファクシミリ送信モードにおける稼働中ユニットであるスキャナエンジンユニット１０とＦＡＸユニット６０のジョブの継続を優先させるために、待機中のユニットであるプロッタエンジンユニット３０とコントローラ７０に対してＬレベルの制御停止信号を出力する。また、ファクシミリ送信モードであっても、事前にＨＤＤ８０に蓄積されている画像データをＦＡＸユニット６０へ転送してファクシミリ送信するファクシミリ送信モードであれば、ＨＤＤ８０を制御するコントローラ７０とＦＡＸユニット６０のジョブの継続を優先させ、プロッタエンジンユニット３０とスキャナエンジンユニット１０に対してＬレベルの制御停止信号を出力する。
【００８２】
さらに、制御制御用電源異常検出モジュール１０７のモード判定部１１６は、動作モードがファクシミリ受信モード、すなわち、ファクシミリ受信ジョブ実行中に電源部１００制御用電源モジュール１０１〜１０４の異常発生を認識すると、ファクシミリ受信モードにおける稼働中ユニットであるプロッタエンジンユニット３０とＦＡＸユニット６０のジョブの継続を優先させるために、待機中のユニットであるスキャナエンジンユニット１０とコントローラ７０に対してＬレベルの制御停止信号を出力する。また、ファクシミリ受信モードであっても、ＦＡＸユニット６０で受信した画像データをＨＤＤ８０に蓄積するファクシミリ受信モードであれば、ＨＤＤ８０を制御するコントローラ７０とＦＡＸユニット６０のジョブの継続を優先させ、プロッタエンジンユニット３０とスキャナエンジンユニット１０に対してＬレベルの制御停止信号を出力する。
【００８３】
そして、各スキャナエンジンユニット１０、ＦＡＸユニット６０及びコントローラ７０は、図６に示したように、制御用電源遮断用のリレー１２０が、電源部１００からの制御用電源の供給される電源母線Ｐｓと各ユニット１０、６０、７０の制御デバイス１３０、１３１及びリセットＩＣ１３２との間に、配設されており、このリレー１２０に、制御用電源異常検出モジュール１０７から制御停止信号が入力される。
【００８４】
リレー１２０は、制御停止信号がＨレベルのときには、オンして、電源部１００からの制御用電力を制御デバイス１３０、１３１及びリセットＩＣ１３２に供給し、制御停止信号がＬレベルのときには、オフして、電源部１００からの制御用電源の制御デバイス１３０、１３１及びリセットＩＣ１３２への供給を停止する。リセットＩＣ１３２は、リレー１２０がオフして、制御用電力の供給が停止されると、制御デバイス１３０、１３１の処理動作を停止させるために、制御デバイス１３０、１３１をリセットする。
【００８５】
そして、上記プロッタエンジンユニット３０は、図７に示したように、制御用電源遮断用のリレー１２１が、電源部１００の制御用電源モジュール１０１〜１０４からの制御用電力の供給される電源母線Ｐｓとプロッタエンジンユニット３０の制御デバイス１３３、１３４及びリセットＩＣ１３５との間に、配設されており、また、駆動用電源遮断用のリレー１２２が、電源部１００の駆動用電源モジュール１０５からの駆動用電力の供給される電源母線Ｐｄとプロッタエンジンユニット３０の負荷１３６との間に、配設されている。これらのリレー１２１及びリレー１２２に、制御用電源異常検出モジュール１０７のモード判定部１１６から制御停止信号が入力され、リレー１２１は、制御停止信号がＨレベルのときには、オンして、電源部１００の制御用電源モジュール１０１〜１０４からの制御用電力を制御デバイス１３３、１３４及びリセットＩＣ１３５に供給し、制御停止信号がＬレベルのときには、オフして、電源部１００の制御用電源モジュール１０１〜１０４からの制御用電力の制御デバイス１３３、１３４及びリセットＩＣ１３５への供給を停止する。リレー１２２は、制御停止信号がＨレベルのときには、オンして、電源部１００の駆動用電源モジュール１０５からの駆動用電力を負荷１３６に供給し、制御停止信号がＬレベルのときには、オフして、電源部１００の駆動用電源モジュール１０５からの駆動用電力の負荷１３６への供給を停止する。
【００８６】
このプロッタエンジンユニット３０の動作停止に際しては、制御制御用電源異常検出モジュール１０７は、最初に、駆動用電源モジュール１０５からの駆動用電力をオン／オフするリレー１２２への制御停止信号をＬレベルとし、一定時間経過後に、生業用電源モジュール１０１〜１０４からの制御用電力をオン／オフするリレー１２１への制御停止信号をＬレベルとして、まず、負荷１３６を駆動用電力の電源母線Ｐｄから切り離して駆動用電力をオフにした後、一定時間経過後に、制御デバイス１３３、１３４を制御用電力の電源母線Ｐｓから切り離して制御用電力をオフにする。
【００８７】
このように、本実施例の複合装置１は、複数の電源モジュール１０１〜１０６を有する電源部１００のうち制御用電源モジュール１０１の一部の制御用電源モジュール１０１〜１０４に異常が発生すると、電源部１００から電力供給を受けて動作する複数の機能モジュールであるスキャナエンジンユニット１０、プロッタエンジンユニット３０、ＦＡＸユニット６０及びコントローラ７０のうち、該異常発生時の動作モードで使用するユニット１０、３０、６０、７０以外のユニット１０、３０、６０、７０の動作を停止させている。
【００８８】
したがって、少なくとも実行中の動作モードで使用するユニット１０、３０、６０、７０の動作を確保して、該動作モードの実行を継続させることができ、電源部１００の一部の制御用電源モジュール１０１〜１０４に故障等が発生しても、実行中の動作ジョブを確実に実行して、利用性を向上させることができる。
【００８９】
また、本実施例の複合装置１は、電源部１００の電源モジュール１０１〜１０５からのスキャナエンジンユニット１０、プロッタエンジンユニット３０、ＦＡＸユニット６０及びコントローラ７０への電力の供給を停止して、各ユニット１０、３０、６０、７０の動作を停止させている。
【００９０】
したがって、現在の動作モードの実行に不要なユニット１０、３０、６０、７０の動作を完全に停止させることができ、電源部１００の供給可能な電力をより一層有効に利用することができる。
【００９１】
さらに、本実施例の複合装置１は、制御用電源モジュール１０１〜１０４の異常を該制御用電源モジュール１０１〜１０４の出力電圧に基づいて検出している。
【００９２】
したがって、簡単な回路構成で、制御用電源モジュール１０１〜１０４の異常の有無を正確に検出することができる。
【００９３】
なお、制御用電源異常検出回路１１１〜１１４は、上記図５の回路構成のものに限るものではなく、例えば、図８に制御用電源異常検出回路１１１ａについて、その回路構成を示すように、コンパレータ１１１Ｃｐ、分圧抵抗１１１Ｒａ、１１１Ｒｂ及び抵抗１１４Ｒｃと同様の構成の回路であるコンパレータ１１１Ｃｐ２、分圧抵抗１１１Ｒａ２、１１１Ｒｂ２及び抵抗１１４Ｒｃ２を、制御用電源モジュール１０１とＮＡＮＤ回路１１５との間に設けるとともに、コンパレータ１１１Ｃｐとコンパレータ１１１Ｃｐ２の出力を合成するＡＮＤ回路１１１ＡＤを設けて、ＡＮＤ回路１１１ＡＤの出力をＮＡＮＤ回路１１５に入力してもよい。
【００９４】
この制御用電源異常検出回路１１１ａは、一方のコンパレータ１１１Ｃｐ、１１１Ｃｐ２、例えば、コンパレータ１１１Ｃｐを制御用電源モジュール１０１の出力電圧が低い場合（４．８Ｖ以下）、他方のコンパレータ１１１Ｃｐ、１１１Ｃｐ２、例えば、コンパレータ１１１Ｃｐ２を制御用電源モジュール１０１の出力電圧が高い場合（５．２Ｖ以上）を検出するように、対応するコンパレータ１１１Ｃｐ、１１１Ｃｐ２の−入力端子に入力される規定値を、それぞれの分圧抵抗１１１Ｒａ、１１１Ｒｂと分圧抵抗１１１Ｒａ２、１１１Ｒｂ２で設定する。そして、各コンパレータ１１１Ｃｐとコンパレータ１１１Ｃｐ２の出力をＡＮＤ回路１１１ＡＤでＡＮＤ合成して、ＮＡＮＤ回路１１５に出力する。なお、この場合、図６には図示しないが、他の制御用電源異常検出回路１１２ａ〜１１４ａについても、同様の回路構成とする。
【００９５】
このようにすると、制御用電源モジュール１０１〜１０４が適正範囲にあるか否かを適切に検出して、ＮＡＮＤ回路１１５に制御用電源異常検出信号を出力することができ、より一層適切な異常検出を行うことができる。
【００９６】
また、上記制御用電源異常検出回路１１１〜１１４及び制御用電源異常検出回路１１４ａは、制御用電源モジュール１０１〜１０４の出力電圧に基づいて制御用電源モジュール１０１〜１０４の異常の有無を検出しているが、制御用電源モジュール１０１〜１０４の異常の有無の検出は、制御用電源モジュール１０１〜１０４の出力電圧に基づくものに限るものではなく、例えば、図９に示すように、制御用電源モジュール１０１〜１０４の温度に基づいて制御用電源モジュール１０１〜１０４の異常の有無を検出してもよい。
【００９７】
図９は、制御用電源モジュール１０１の異常の有無を検出する制御用電源異常検出回路１１１ｂについて、その回路構成を示しており、制御用電源異常検出回路１１４ｂは、コンパレータ１１１Ｃｐ３、分圧抵抗１１１Ｒａ３、１１１Ｒｂ３、抵抗１１１Ｒｃ３及び抵抗１１１Ｒｄを備えており、制御用電源モジュール１０１は、内部温度を検出するサーミスタ１０１Ｓを備えている。制御用電源モジュール１０１〜１０４のサーミスタ１０１Ｓは、その一方が、制御用電源異常検出回路１１４ｂのコンパレータ１１１Ｃｐ３の＋入力端子に接続され、その他方が、接地されている。サーミスタ１０１Ｓの接続されているコンパレータ１１１Ｃｐ３の＋入力端子は、電圧変換用の抵抗１１１Ｒｄを介して所定電圧電源に接続されており、コンパレータ１１１Ｃｐ３の＋入力端子には、サーミスタ１０１Ｓの検出する制御用電源モジュール１０１の温度を抵抗１１１Ｒｄで電圧に変換した温度変換電圧が入力される。コンパレータ１１１Ｃｐ３は、その＋入力端子に入力される温度変換電圧を、分圧抵抗１１１Ｒａ３、１１１Ｒｂ３で設定される規定電圧（規定温度）と比較し、制御用電源モジュール１０１の検出温度が規定温度より高い場合を異常と判定する。なお、図９では、制御用電源モジュール１０１と制御用電源モジュール１０１に対応する制御用電源異常検出回路１１１ｂについてのみ示しているが、他の制御用電源モジュール１０１〜１０４と該制御用電源モジュール１０１〜１０４に対応する制御用電源異常検出回路１１２ｂ〜１１４ｂについても同様である。
【００９８】
このようにすると、制御用電源モジュール１０１〜１０４の異常の有無を温度に基づいてより適切に検出することができ、電源部１００の故障等の異常が発生した場合に、２次破壊による電源部１００の電力出力が異常に陥る前に、制御用電源モジュール１０１〜１０４の故障等の異常の発生を検出することができる。
【００９９】
また、上記図６及び図７では、制御用電源モジュール１０１〜１０４からの電源母線Ｐｓを遮断し、また、駆動用電源モジュール１０５からの電源母線Ｐｄを遮断することで、対象としているユニット１０、３０、６０、７０の動作を停止させているが、ユニット１０、３０、６０、７０の動作を停止させる方法は、電源の供給を遮断するものに限るものではなく、例えば、図１０に示すように、ユニット１０、３０、６０、７０の制御デバイスへの動作を制御する動作クロックを最小にすることで行ってもよい。
【０１００】
図１０は、上記図６のユニット１０、６０、７０の制御デバイス１３０の場合を示しており、制御デバイス１３０は、その電源入力ポートに制御用電源モジュール１０１〜１０４からの制御用電源が電源母線Ｐｓを介して供給され、そのＩ／ＯポートＡに、制御用電源異常検出モジュール１０７からの制御停止信号が入力され、また、そのクロックポートに、制御デバイス１３０の動作クロックを生成する水晶発振器１３０ａが接続され、さらに、そのリセットポートに、リセットＩＣ１３２が接続されている。
【０１０１】
制御デバイス１３０は、Ｉ／ＯポートＡに入力されている制御停止信号がＨレベルからＬレベルに変化すると、内部レジスタの設定を変更して、水晶発振器１３０ａから入力されている動作クロックを最小に変更して、その動作を停止状態と同様の状態にする。
【０１０２】
なお、上記説明では、制御デバイス１３０は、Ｉ／ＯポートＡに入力されている制御停止信号がＨレベルからＬレベルに変化すると、動作クロックを最小に変更しているが、省電力モードを備えている場合には、省電力モードに移行してもよい。
【０１０３】
また、上記説明では、制御デバイス１３０について説明したが、他の制御デバイス１３１、１３３、１３４についても同様である。
【０１０４】
このようにすると、特別なハードウェアを追加することなく、簡単かつ容易にユニット１０、３０、６０、７０の動作を停止させることができる。
【０１０５】
また、図１０では、制御デバイス１３０が、水晶発振器１３０ａから入力されたクロックを、制御デバイス１３０の内部でその動作クロックを最小にしているが、図１１に示すように、水晶発振器１３０ａのクロック出力を停止させてもよい。
【０１０６】
すなわち、図１１において、制御デバイス１３０は、その電源入力ポートに制御用電源モジュール１０１〜１０４からの制御用電源が電源母線Ｐｓを介して供給され、そのＩ／ＯポートＡに、制御用電源異常検出モジュール１０７からの制御停止信号が入力され、また、そのクロックポートに、制御デバイス１３０の動作クロックを生成する水晶発振器１３０ａが接続され、さらに、そのリセットポートに、リセットＩＣ１３２が接続されている。
【０１０７】
そして、水晶発振器１３０ａは、イネーブル端子を備えており、イネーブル端子がＬレベルのときに出力を停止するようになっている。水晶発振器１３０ａのイネーブル端子は、制御デバイス１３０のＩ／ＯポートＢに接続されている。
【０１０８】
制御デバイス１３０のＩ／ＯポートＢは、初期値では、入力ポート（外部から見たときはＨ−Ｚ状態）となっており、このときＩ／ＯポートＢをＨレベルに固定するために抵抗１３０ｂでプルアップされている。また、制御デバイス１３０は、その内部レジスタをセットすることにより、Ｉ／ＯポートＢを出力ポートとして動作させることができ、Ｉ／ＯポートＢを、通常状態ではＨレベルを出力するように制御する。
【０１０９】
そして、制御デバイス１３０は、制御用電源異常検出モジュール１０７からの制御停止信号の論理をＩ／ＯポートＡで検出し、Ｉ／ＯポートＡの制御停止信号がＨレベルからＬレベルに変化すると、Ｉ／ＯポートＢをＬレベルに設定して、水晶発振器１３０ａの出力を停止させる。
【０１１０】
なお、上記説明では、制御デバイス１３０について説明したが、他の制御デバイス１３１、１３３、１３４についても同様である。
【０１１１】
このようにすると、特別なハードウェアを追加することなく、簡単かつ容易にユニット１０、３０、６０、７０の動作を停止させることができる。
【０１１２】
さらに、上記図６〜図１１では、電源（電力）の遮断または動作クロックの停止で制御デバイスの動作、すなわち、対象としているユニット１０、３０、６０、７０の動作を停止させているが、ユニット１０、３０、６０、７０の動作を停止させる方法は、上記方法に限るものではなく、例えば、図１２に制御デバイス１３０の場合について示すように、ユニット１０、３０、６０、７０の制御デバイスを強制リセットさせることで、行ってもよい。
【０１１３】
図１２において、制御デバイス１３０は、その電源入力ポートに制御用電源モジュール１０１〜１０４からの制御用電力が電源母線Ｐｓを介して供給され、そのＩ／ＯポートＡに、制御用電源異常検出モジュール１０７からの制御停止信号が入力され、また、そのリセットポートに、リセットＩＣ１３２が接続されている。
【０１１４】
リセットＩＣ１３２は、オープンドレイン出力となっており、リセットＩＣ１３２の出力には、トランジスタ１３０ｃのコレクタが接続されており、その前段として、トランジスタ１３０ｃのベースに、トランジスタ１３０ｄのコレクタが接続されている。
【０１１５】
トランジスタ１３０ｄは、そのベースが制御デバイス１３０のＩ／ＯポートＢに接続されており、Ｉ／ＯポートＢがＬレベルになると、トランジスタ１３０ｄ、トランジスタ１３０ｃがオンして、制御デバイス１３０のリセット端子がＬレベルとなる。
【０１１６】
制御デバイス１３０は、そのＩ／ＯポートＢの初期値が、入力ポート（外部から見たときはＨ−Ｚ状態）となっており、このときＩ／ＯポートＢをＨレベルに固定するために抵抗でプルアップされている。また、制御デバイス１３０は、その内部レジスタをセットすることにより、Ｉ／ＯポートＢを出力ポートとして動作させる。Ｉ／ＯポートＢは、通常状態ではＨレベルを出力するように制御される。
【０１１７】
また、制御デバイス１３０は、制御用電源異常検出モジュール１０７からの制御停止信号の論理をＩ／ＯポートＡで検出している。
【０１１８】
制御用電源異常検出モジュール１０７が電源部１００の異常発生を認識して、対象ユニット１０、３０、６０、７０に対する制御停止信号をＬレベルにすると、制御デバイス１３０は、Ｉ／ＯポートＡがＨレベルからＬレベルに変化したことを検出する。制御デバイス１３０は、Ｉ／ＯポートＡの制御停止信号がＨレベルからＬレベルに変化すると、Ｉ／ＯポートＢをＬレベルに設定し、Ｉ／ＯポートＢがＬれべるになると、トランジスタ１３０ｄ、トランジスタ１３０ｃがオンし、制御デバイス１３０のリセット端子がＬレベルとなって、制御デバイス１３０が強制リセットされる。
【０１１９】
このようにすると、比較的簡単なハードウェアを用いて、簡単かつ容易にユニット１０、３０、６０、７０の動作を停止させることができる。
【実施例２】
【０１２０】
図１３及び図１４は、本発明の電源制御装置及び電気機器の第２実施例を示す図であり、図１３は、本発明の電源制御装置及び電気機器の第２実施例を適用した複合装置１４０の要部ブロック構成図である。
【０１２１】
本実施例の複合装置１４０は、コントローラ１４３が、複数の機能モジュール（ユニット）のうち、電源部１００の異常発生時の動作モードで使用している機能モジュール以外の機能モジュールの動作を停止させる電源制御手段として機能するものである。
【０１２２】
なお、本実施例の複合装置１４０は、上記第１実施例の複合装置１と同様の複合装置に適用したものであり、本実施例の説明においては、上記第１実施例の複合装置１と同様の構成部分については、同一の符号を付して、その詳細な詳細な説明を省略する。
【０１２３】
図１３において、複合装置１４０は、上記第１実施例と同様のスキャナエンジンユニット１０、プロッタエンジンユニット３０、ＦＡＸユニット６０を機能モジュールとして備え、また、ＨＤＤ８０を備えているとともに、電源部１４１、コントローラ（制御機能モジュール）１４３及び操作表示部１４４等を備えている。
【０１２４】
電源部１４１は、上記第１実施例の電源部１００と同様の制御用電源モジュール１０１〜１０４、駆動用電源モジュール１０５及び監視用電源モジュール１０６を備えているとともに、制御用電源異常検出モジュール（異常検出手段）１４２を備えている。
【０１２５】
各制御用電源モジュール１０１〜１０４は、外部商用電源から制御用の電源を生成して、複合装置１４０の各部１０、３０、６０、１４３に制御用の電源母線Ｐｓを介して制御用の電力として供給するとともに、その出力電源電圧を制御用電源異常検出モジュール１４２に入力する。
【０１２６】
制御用電源異常検出モジュール１４２は、上記第１実施例の制御用電源異常検出モジュール１０７の制御用電源異常検出回路１１１〜１１４とＮＡＮＤ回路１１５と同様の回路部分を収納しており、制御用電源モジュール１０１〜１０４の出力電圧が正常であると、Ｈ（ハイ）レベルの制御用電源異常検出信号をコントローラ１４３に出力し、また、入力される制御用電源モジュール１０１〜１０４の出力電圧が異常であると、Ｌ（ロー）レベルの制御用電源異常検出信号をコントローラ１４３に出力する。
【０１２７】
コントローラ１４３は、複合装置１４０の各部を制御して複合装置１４０としての機能を実行するとともに、その内蔵するＣＰＵ（Central Processing Unit ）のＩ／Ｏポートに並列に制御用電源異常検出信号が入力されることで、上記第１実施例の制御電源異常検出モジュール１０７のモード判定部１１６と同様の機能をＣＰＵが実行して電源制御手段としての機能を実行して、ＨＤＤ８０の動作を制御し、また、スキャナエンジンユニット１０、プロッタエンジンユニット３０、ＦＡＸユニット６０及び操作表示部１４４に制御用電源異常検出信号の出力制御を行う。
【０１２８】
すなわち、コントローラ１４３は、複合装置１４０の現在の動作モードを認識しており、認識した動作モードにおいてスキャナエンジンユニット１０、プロッタエンジンユニット３０、ＦＡＸユニット６０、コントローラ７０、ＨＤＤ８０及び操作表示部１４４の中で稼働中のユニット、待機中のユニットを把握している。コントローラ１４３は、初期値として制御停止信号をＨレベルとし、複合装置１の動作モードが確定していないときを含め、通常状態では、Ｈレベルの制御停止信号をユニット１０、３０、６０、７０、１４４に出力し、制御用電源異常検出モジュール１４２からの制御用電源異常検出信号を判定して、制御用電源異常検出信号がＬレベルであると、すなわち、制御用電源モジュール１０１〜１０４のうち少なくとも１つの制御用電源モジュール１０１〜１０４の出力が異常であった場合には、待機中のユニット１０、３０、６０、７０、１４４に対してＬレベルの制御停止信号を出力するとともに、該動作モードに応じてＨＤＤ８０の動作制御を行う。
【０１２９】
複合装置１４０は、制御用電源異常検出モジュール１４２及びコントローラ１４３の駆動電源として、監視用電源モジュール１０６の出力電力が用いられている。
【０１３０】
この複合装置１４０は、制御用電源モジュール１０１〜１０４の異常の有無を制御用電源異常検出モジュール１４２で検出し、制御用電源異常検出モジュール１４２が、制御用電源モジュール１０１〜１０４の異常を検出すると、コントローラ４３２が、スキャナエンジンユニット１０、プロッタエンジンユニット３０、ＦＡＸユニット６０及び操作表示部１４４のうち、当該制御用電源モジュール１０１〜１０４の異常検出時の複合装置１４０の動作モードに応じて不要なスキャナエンジンユニット１０、プロッタエンジンユニット３０、ＦＡＸユニット６０及び操作表示部１４４の動作を停止させる。
【０１３１】
そして、本実施例の複合装置１４０は、そのユニット間通信を図１４に示すようにコントローラ１４３を中心に行っており、画像データバスは、図２に示した場合と同様に、
ユニット１１０、３０、６０、１４３、１４４で共有しているが、複合装置１４０のシステム全体を制御しているのは画像データを蓄積するＨＤＤ８０を管理・制御するコントローラ１４３となっている。すなわち、コピーモード、プリントモード、スキャンモード、ファクシミリ送信モード、ファクシミリ受信モードのいずれのモードにおいても、ＨＤＤ８０を使用する場合があり、ＨＤＤ８０を制御するコントローラ１４３が常に稼働中ユニットとなり得るためである。そして、ユーザが複合装置１４０へのモード入力を行う場合、操作表示部１４４を介して実行することになるため、操作表示部１４４とコントローラ１４３が通信することで、コントローラ１４３が複合装置１４０の動作モードを把握する。
【０１３２】
したがって、本実施例の複合装置１４０は、コントローラ１４３が、機能的に複合装置１４０のモードを把握している必要がある。すなわち、第１実施例の制御用電源異常検出モジュール１０７のモード判定部１１６の機能とコントローラ１４３の機能は重複しているため、コントローラ１４３が制御用電源異常検出モジュール１０７の機能そのもの、あるいは少なくともモード判定部１１６の機能を兼用することにより、システム構成の簡略化・単純化が可能となる。
【０１３３】
このように、本実施例の複合装置１４０は、コントローラ１４３が、第１実施例の制御用電源異常検出モジュール１０７の機能そのもの、あるいは少なくともモード判定部１１６の機能を兼用しているので、複合装置１４０全体のシステム構成を簡略化・単純化することができる。
【０１３４】
なお、図１３では、第１実施例の制御用電源異常検出モジュール１０７の制御用電源異常検出回路１１１〜１１４とＮＡＮＤ回路１１５の回路部分を備えている制御用電源異常検出モジュール１４２を電源部１４１に設けて、第１実施例のモード判定部１１６をコントローラ１４３に設けているが、制御用電源異常検出モジュール１４２を含めて、モード判定部１１６の部分もコントローラ１４３に設けてもよい。
【０１３５】
また、制御用電源異常検出モジュール１４２としては、図５の構成のものに限るものではなく、図８または図９の構成のものであってもよい。
【実施例３】
【０１３６】
図１５は、本発明の電源制御装置及び電気機器の第３実施例を適用した複合装置１５０の要部ブロック構成図である。
【０１３７】
本実施例の複合装置１５０は、操作表示部１５３が、複数の機能モジュールのうち、電源部１５０の異常発生時の動作モードで使用している機能モジュール以外の機能モジュールの動作を停止させる電源制御手段として機能するものである。
【０１３８】
なお、本実施例の複合装置１５０は、上記第１実施例の複合装置１と同様の複合装置に適用したものであり、本実施例の説明においては、上記第１実施例の複合装置１と同様の構成部分については、同一の符号を付して、その詳細な詳細な説明を省略する。
【０１３９】
図１５において、複合装置１５０は、上記第１実施例と同様のスキャナエンジンユニット１０、プロッタエンジンユニット３０、ＦＡＸユニット６０、コントローラ７０を機能モジュールとして備え、また、ＨＤＤ８０を備えているとともに、電源部１５１、電源部１５１内の制御用電源異常検出モジュール１５２及び操作表示部（操作機能モジュール）１５３等を備えている。
【０１４０】
電源部１５１は、上記第１実施例の電源部１００と同様の制御用電源モジュール１０１〜１０４、駆動用電源モジュール１０５及び監視用電源モジュール１０６を備えているとともに、制御用電源異常検出モジュール（異常検出手段）１５２を備えている。
【０１４１】
各制御用電源モジュール１０１〜１０４は、外部商用電源から制御用の電源を生成して、複合装置１５０の各部１０、３０、６０、７０、１５３に制御用の電源母線Ｐｓを介して制御用の電力として供給するとともに、その出力電源電圧を制御用電源異常検出モジュール１５２に入力する。
【０１４２】
制御用電源異常検出モジュール１５２は、上記第１実施例の制御用電源異常検出モジュール１０７の制御用電源異常検出回路１１１〜１１４及びＮＡＮＤ回路１１５と同様の回路部分を収納しており、制御用電源モジュール１０１〜１０４の出力電圧が正常であると、Ｈ（ハイ）レベルの制御用電源異常検出信号を操作表示部１５３に出力し、また、入力される制御用電源モジュール１０１〜１０４の出力電圧が異常であると、Ｌ（ロー）レベルの制御用電源異常検出信号を操作表示部１５３に出力する。
【０１４３】
操作表示部１５３は、複合装置１５０に各種動作を行わせるための操作キー及び操作キーから入力操作された内容や複合装置１５０からユーザに通知する各種情報を表示する表示部（例えば、ＬＣＤ）等が設けられている。
【０１４４】
複合装置１５０は、制御用電源異常検出モジュール１５２及び操作表示部１５３の駆動電源とし、監視用電源モジュール１０６の出力電力を用いている。
【０１４５】
複合装置１５０は、操作表示部１５３のアプリケーション切換キーの操作またはタッチパネルを備えたＬＣＤに表示される機能ボタンのタッチ操作等によりコピー機能、プリンタ機能、スキャン機能、ファクシミリ機能を順次切り換えて選択することができ、コピー機能が選択されたときには、コピーモードとなり、プリンタ機能が選択されたときには、プリントモードとなり、スキャン機能が選択されたときには、スキャンモードとなり、ファクシミリモードが選択されたときには、ファクシミリモードとなる。操作表示部１５３は、その内蔵するＣＰＵの制御下で、操作表示部１５３としての動作機能を実行するとともに、複数の機能モジュールであるユニット（スキャナエンジンユニット１０、プロッタエンジンユニット３０、ＦＡＸユニット６０及びコントローラ７０）のうち、電源部１５０の異常発生時の動作モードで使用しているユニット以外のユニットの動作を停止させる電源制御手段として機能する。
【０１４６】
この操作表示部１５３は、操作表示部１５３としての機能を実行制御するためのＣＰＵを内蔵しており、その内蔵するＣＰＵのＩ／Ｏポートに並列に制御用電源異常検出モジュール１５２から制御用電源異常検出信号が入力されることで、上記第１実施例の制御電源異常検出モジュール１０７のモード判定部１１６としての機能を操作表示部１５３のＣＰＵが実行して、スキャナエンジンユニット１０、プロッタエンジンユニット３０、ＦＡＸユニット６０及びコントローラ７０に制御用電源異常検出信号の出力制御を行う。
【０１４７】
すなわち、操作表示部１５３は、複合装置１４０の現在の動作モードを認識しており、認識した動作モードにおいてスキャナエンジンユニット１０、プロッタエンジンユニット３０、ＦＡＸユニット６０及びコントローラ７０の中で稼働中のユニット、待機中のユニットを把握している。操作表示部１５３は、初期値として制御停止信号をＨレベルとし、複合装置１５０の動作モードが確定していないときを含め、通常状態では、Ｈレベルの制御停止信号をユニット１０、３０、６０、７０に出力し、制御用電源異常検出モジュール１５２のＮＡＮＤ回路１１５からの制御用電源異常検出信号を判定して、制御用電源異常検出信号がＬレベルであると、すなわち、制御用電源モジュール１０１〜１０４のうち少なくとも１つの制御用電源モジュール１０１〜１０４の出力が異常であった場合には、待機中のユニット１０、３０、６０、７０に対してＬレベルの制御停止信号を出力する。
【０１４８】
この複合装置１５０は、制御用電源モジュール１０１〜１０４の異常の有無を制御用電源異常検出モジュール１５２で検出し、制御用電源異常検出モジュール１５２が、制御用電源モジュール１０１〜１０４の異常を検出すると、操作表示部１５３が、スキャナエンジンユニット１０、プロッタエンジンユニット３０、ＦＡＸユニット６０及びコントローラ７０のうち、当該制御用電源モジュール１０１〜１０４の異常検出時の複合装置１５０の動作モードに応じて不要なスキャナエンジンユニット１０、プロッタエンジンユニット３０、ＦＡＸユニット６０及びコントローラ７０の動作を停止させる。
【０１４９】
また、操作表示部１５３は、機能的に複合装置１５０のモードを把握しており、ユーザが選択したモードが何であるのかを表示部に表示したり、プリントモード、ファクシミリ受信モード等のようにネットワークからの処理を実行中であることを表示部に表示したりする。
【０１５０】
そして、本実施例の複合装置１５０は、第１実施例の制御用電源異常検出モジュール１０７のモード判定部１１６の機能と操作表示部１５３の機能が重複しているため、操作表示部１５３が、制御用電源異常検出モジュール１０７の機能そのもの、あるいは少なくともモード判定部１１６の機能を兼用して、当該機能を実行する。このようにすると、システム構成の簡略化・単純化が可能となる。
【０１５１】
このように、本実施例の複合装置１５０は、操作表示部１５３が、第１実施例の制御用電源異常検出モジュール１０７の機能そのもの、あるいは少なくともモード判定部１１６の機能を兼用しているので、複合装置１５０全体のシステム構成を簡略化・単純化することができる。
【０１５２】
なお、図１５では、第１実施例の制御用電源異常検出モジュール１０７の制御用電源異常検出回路１１１〜１１４及びＮＡＮＤ回路１１５と同様の回路部分を備えている制御用電源異常検出モジュール１５２を電源部１５１に設けて、第１実施例のモード判定部１１６と同様の回路部を操作表示部１５３に設けているが、制御用電源異常検出モジュール１５２を含めて、モード判定部１１６の部分も操作表示部１５３に設けてもよい。
【０１５３】
また、制御用電源異常検出モジュール１５２としては、図５の構成のものに限るものではなく、図８または図９の構成のものであってもよい。
【実施例４】
【０１５４】
図１６は、本発明の電源制御装置及び電気機器の第４実施例を適用した複合装置１６０の要部ブロック構成図である。
【０１５５】
本実施例の複合装置１６０は、複数の機能モジュールのうち、電源部１６０の異常発生時の動作モードで使用している機能モジュール以外の機能モジュールの動作を停止させる電源制御手段として機能するユニットが動作モードによって変化するものである。
【０１５６】
なお、本実施例の複合装置１６０は、上記第１実施例の複合装置１と同様の複合装置に適用したものであり、本実施例の説明においては、上記第１実施例の複合装置１と同様の構成部分については、同一の符号を付して、その詳細な詳細な説明を省略する。
【０１５７】
図１６において、複合装置１６０は、機能モジュールとして、スキャナエンジンユニット１０ａ、プロッタエンジンユニット３０ａ、ＦＡＸユニット６０ａ、コントローラ７０ａ、ＨＤＤ８０及び操作表示部１６３を備えているとともに、電源部１６１及び電源部１６１内の制御用電源異常検出モジュール１６２等を備えている。
【０１５８】
電源部１６１は、上記第１実施例の電源部１００と同様の制御用電源モジュール１０１〜１０４と駆動用電源モジュール１０５を備えているとともに、制御用電源異常検出モジュール１６２を備えているが、監視用電源モジュール１０６を備えていない。
【０１５９】
各制御用電源モジュール１０１〜１０４は、外部商用電源から制御用の電源を生成して、複合装置１６０の各ユニット１０ａ、３０ａ、６０ａ、７０ａ、１６３に制御用の電源母線Ｐｓを介して制御用の電力として供給するとともに、その出力電源電圧を制御用電源異常検出モジュール１６２に入力する。
【０１６０】
制御用電源異常検出モジュール１６２は、上記第１実施例の制御用電源異常検出モジュール１０７の制御用電源異常検出回路１１１〜１１４及びＮＡＮＤ回路１１５と同様の回路部分を収納しており、制御用電源モジュール１０１〜１０４の出力電圧が正常であると、Ｈ（ハイ）レベルの制御用電源異常検出信号を各ユニット１０ａ、３０ａ、６０ａ、７０ａ、１６３に出力し、また、入力される制御用電源モジュール１０１〜１０４の出力電圧が異常であると、Ｌ（ロー）レベルの制御用電源異常検出信号を各ユニット１０ａ、３０ａ、６０ａ、７０ａ、１６３に出力する。
【０１６１】
そして、スキャナエンジンユニット１０ａ、プロッタエンジンユニット３０ａ、ＦＡＸユニット６０ａ、コントローラ７０ａ及び操作表示部１６３は、複合装置１６０の動作モードに応じて、複数のユニット（スキャナエンジンユニット１０ａ、プロッタエンジンユニット３０ａ、ＦＡＸユニット６０ａ、コントローラ７０ａ及び操作表示部１６３）のうち、電源部１６０の異常発生時の動作モードで使用している機能モジュール以外の機能モジュールの動作を停止させる機能である電源制御機能を、切り換えて実行する。
【０１６２】
すなわち、コピーモード、プリントモード、スキャンモード、ファクシミリ送信モード、ファクシミリ受信モードにおいても、ＨＤＤ８０を使用しない場合、各動作モードにおいて最低限必要な稼働ユニットは以下のとおりである。すなわち、コピーモードでの稼働ユニットは、プロッタエンジンユニット３０ａとスキャナエンジンユニット１０ａ、プリントモードでの稼働ユニットは、コントローラ７０ａとプロッタエンジンユニット３０、スキャンモードでの稼働ユニットは、スキャナエンジンユニット１０ａとコントローラ７０ａ、ファクシミリ送信モードでの稼働ユニットは、ＦＡＸユニット６０ａとスキャナエンジンユニット１０ａ、ファクシミリ受信モードでの稼働ユニットは、ＦＡＸユニット６０ａとプロッタエンジンユニット３０ａである。
【０１６３】
このように、最低限必要な稼働ユニットは、各動作モードによって異なっているので、制御用電源異常検出モジュール１６２は、図４に示した制御用電源異常検出モジュール１０７のＮＡＮＤ回路１１５より前段の回路部と同様の回路のみを備え、モード判定部１１６と同様の回路については各ユニット（スキャナエンジンユニット１０ａ、プロッタエンジンユニット３０ａ、ＦＡＸユニット６０ａ、コントローラ７０ａ及び操作表示部１６３）が兼務する。
【０１６４】
そして、複合装置１６０は、スキャナエンジンユニット１０ａ、プロッタエンジンユニット３０ａ、ＦＡＸユニット６０ａ、コントローラ７０ａ及び操作表示部１６３がそれぞれ制御停止信号線１６４で接続されていて、制御用電源異常検出モジュール１６２の制御用電源異常検出信号の論理（Ｈ／Ｌ）を検出して待機中ユニット（スキャナエンジンユニット１０ａ、プロッタエンジンユニット３０ａ、ＦＡＸユニット６０ａ、コントローラ７０ａ及び操作表示部１６３）に対するＬレベルの制御停止信号を生成して、制御停止信号線１６４を介して他のユニットに出力するモード判定部１１６の機能、すなわち、電源制御機能を実行するユニット（スキャナエンジンユニット１０ａ、プロッタエンジンユニット３０ａ、ＦＡＸユニット６０ａ、コントローラ７０ａ及び操作表示部１６３）が、各動作モードにおいて切り換わる。
【０１６５】
例えば、コピーモードが選択されている場合、電源制御機能を実行するユニットをプロッタエンジンユニット３０ａとし、電源装置１６０の異常発生を認識すると、プロッタエンジンユニット３０ａがコピーモードにおける稼働中ユニットであるプロッタエンジンユニット３０ａ自身とスキャナエンジンユニット１０ａのジョブの継続を優先させるために、待機中のユニットであるコントローラ７０ａとＦＡＸユニット６０ａに対して制御停止信号先１６４を介してＬレベルの制御停止信号を出力する。
【０１６６】
同様に、複合装置１６０は、プリントモードが選択された場合には、電源制御機能を実行するユニットをコントローラ７０ａとし、スキャンモードが選択された場合には、電源制御機能を実行するユニットをスキャナエンジンユニット１０ａとし、ファクシミリ送信モードとファクシミリ受信モードが選択された場合には、電源制御機能を実行するユニットをＦＡＸユニット６０ａとする。
【０１６７】
また、複合装置１６０は、上記動作モード以外に、ユーザあるいはネットワークからのジョブを待っている状態、すなわち待機モードが存在し、この待機モードにおいて、電源制御機能を実行するユニットが必要となる。
【０１６８】
ところが、待機モードにおいては、現在実行中の動作ジョブが存在しないため、電源装置１６０の異常発生を認識した場合に動作を優先させるべきユニットは存在しない。
【０１６９】
したがって、待機モードにおいては、複合装置１６０は、電源制御機能を実行するユニットを、操作表示部１６３とし、操作表示部１６３が、電源装置１６０の異常発生を検出すると、その他のユニットに対して、Ｌレベルの制御停止信号を出力した後に、操作表示部１６３に装着されているＬＣＤ等の表示部に電源装置１６０の故障を報知する。
【０１７０】
このように、本実施例の複合装置１６０は、電源制御機能を各ユニット１０ａ、３０ａ、６０ａ、７０ａ、１６３に分散させることで、一部のユニットや電源部１６１に負荷が集中することを防止しつつ、少なくとも実行中の動作モードで使用するユニット１０ａ、３０ａ、６０ａ、７０ａ、８０の動作を確保して、該動作モードの実行を継続させることができ、電源部１６１の一部の制御用電源モジュール１０１〜１０４に故障等が発生しても、実行中の動作ジョブを確実に実行して、利用性を向上させることができる。
【０１７１】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１７２】
本発明は、電源部の複数の電源出力系統のうち一部に異常が発生しても、動作中の機能モジュールを優先させて動作させる電源制御装置及び電気機器に適用することができる。
【図面の簡単な説明】
【０１７３】
【図１】本発明の電源制御装置及び電気機器の第１実施例を適用した複合装置の正面概略構成図。
【図２】図１の複合装置の概略ブロック構成図。
【図３】図１の電源部のブロック構成図。
【図４】図３の制御用電源異常検出モジュールの回路構成図。
【図５】図４の制御用電源異常検出回路の回路構成図。
【図６】図２及び図３のプロッタエンジンユニット以外の各ユニットの電源遮断用のリレーを示す要部回路図。
【図７】図２及び図３のプロッタエンジンユニットの電源遮断用のリレーを示す要部回路図。
【図８】図４の制御用電源異常検出回路の他の構成例を示す回路図。
【図９】図４の制御用電源異常検出回路の制御用電源モジュールの温度による異常検出を行う構成例を示す回路図。
【図１０】図２及び図３のユニットのデバイスの動作クロックを最小にして動作を停止させる場合の要部回路図。
【図１１】図２及び図３のユニットのデバイスの動作クロックを停止させて動作を停止させる場合の要部回路図。
【図１２】図２及び図３のユニットのデバイスにリセットをかけて動作を停止させる場合の要部回路図。
【図１３】本発明の電源制御装置及び電気機器の第２実施例を適用した複合装置の正面概略構成図。
【図１４】図１３の複合装置のブロック構成図。
【図１５】本発明の電源制御装置及び電気機器の第３実施例を適用した複合装置の正面概略構成図。
【図１６】本発明の電源制御装置及び電気機器の第４実施例を適用した複合装置の正面概略構成図。
【符号の説明】
【０１７４】
１  複合装置
２  本体筐体
３  コンタクトガラス
４  ランプ
５  第１ミラー
６  第２ミラー
７  第３ミラー
８  レンズ
９  ＣＣＤ
１０  スキャナエンジンユニット
２０  ＡＤＦ
２１  原稿台
２２  給送ローラ
２３  給送ベルト
２４  搬送ローラ
２５  排紙ローラ
２６  排紙台
２７  原稿セット検知センサ
３０  プロッタエンジンユニット
３１  感光体
３２  書込ユニット
３３  現像部
３４  搬送ベルト
３５  定着部
３６  搬送切換排紙部
３７  両面入紙搬送路
３８  反転排紙搬送路
３９  反転ユニット
４０  両面搬送ユニット
４１  給紙部群
４２  搬送ユニット
４３  排紙トレイ
５１〜５３  給紙部
５１ａ〜５３ａ  給紙トレイ
５１ｂ〜５３ｂ  給紙ローラ部
６０  ＦＡＸユニット
７０  コントローラ
８０  ハードディスク（ＨＤＤ）
９０  画像データバス
１０１〜１０４  制御用電源モジュール
１０１Ｓ  サーミスタ
１０５  駆動用電源モジュール
１０６  監視用電源モジュール
１０７  制御用電源異常検出モジュール
１１１〜１１４、１１１ａ、１１１ｂ  制御用電源異常検出回路
１１１ＡＤ  ＡＮＤ回路
１１５  ＮＡＮＤ回路
１１６  モード判定部
１１１Ｃｐ〜１１１４Ｃｐ、１１１Ｃｐ２、１１１Ｃｐ３  コンパレータ
１１１Ｒａ、１１１Ｒｂ〜１１４Ｒａ〜１１４Ｒｂ  分圧抵抗
１１１Ｒａ２、１１１Ｒｂ２  分圧抵抗
１１１Ｒａ３、１１１Ｒｂ３  分圧抵抗
１１１Ｒｄ  抵抗
１１４Ｒｃ〜１１４Ｒｃ  抵抗
１２０  リレー
１３０、１３１  制御デバイス
１３０ａ  水晶発振器
１３０ｂ  抵抗
１３０ｃ、１３０ｄ  トランジスタ
１３２  リセットＩＣ
１３３、１３４  制御デバイス
１３５  リセットＩＣ
１３６  負荷
Ｐｓ  電源母線
Ｐｄ  電源母線
１４０  複合装置
１４１  電源部
１４２  制御用電源異常検出モジュール
１４３  コントローラ
１４４  操作表示部
１５０  複合装置
１５１  電源部
１５１  電源部
１５２  制御用電源異常検出モジュール
１５３  操作表示部
１６０  複合装置
１０ａ  スキャナエンジンユニット
３０ａ  プロッタエンジンユニット
６０ａ  ＦＡＸユニット
７０ａ  コントローラ
８０  ＨＤＤ
１６３  操作表示部
１６１  電源部
１６２  制御用電源異常検出モジュール
１６３  操作表示部
【図１】
2007336776.tif 000003
【図２】
2007336776.tif 000004
【図３】
2007336776.tif 000005
【図４】
2007336776.tif 000006
【図５】
2007336776.tif 000007
【図６】
2007336776.tif 000008
【図７】
2007336776.tif 000009
【図８】
2007336776.tif 000010
【図９】
2007336776.tif 000011
【図１０】
2007336776.tif 000012
【図１１】
2007336776.tif 000013
【図１２】
2007336776.tif 000014
【図１３】
2007336776.tif 000015
【図１４】
2007336776.tif 000016
【図１５】
2007336776.tif 000017
【図１６】
2007336776.tif 000018